(57)【特許請求の範囲】
【請求項１】
電子機器であって、
給電装置から無線で供給される電力を受け取るのに用いられるアンテナと、
画像データを表示するのに用いられる表示手段と
を有し、
前記表示手段が設けられる第１の面から見た場合に前記アンテナが前記表示手段の外側に位置するように前記アンテナと前記表示手段とを配置し、前記第１の面と交差する第２の面から見た場合に前記アンテナが前記表示手段よりも前記電子機器の外面側に位置するように前記アンテナと前記表示手段とを配置したことを特徴とする電子機器。
【請求項２】
前記アンテナと前記表示手段との間に、透磁率が所定値よりも高いデバイスを配置したことを特徴とする請求項１に記載の電子機器。
【請求項３】
前記第１の面は前記電子機器の背面に相当し、前記第２の面は前記電子機器の底面に相当することを特徴とする請求項１又は２のいずれか１項に記載の電子機器。
【請求項４】
前記アンテナを介して無線通信を行う通信手段をさらに有することを特徴とする請求項１から３のいずれか１項に記載の電子機器。
【請求項５】
前記アンテナを所定の共振周波数で共振させるための共振回路をさらに有することを特徴とする請求項１から４のいずれか１項に記載の電子機器。
【請求項６】
前記電子機器は、撮像装置であることを特徴とする請求項１から５のいずれか１項に記載の電子機器。
【請求項７】
電子機器であって、
給電装置から無線で供給される電力を受け取るのに用いられるアンテナと、
撮像を行うのに用いられるレンズユニットと
を有し、
前記レンズユニットが設けられる第１の面から見た場合に前記アンテナが前記レンズユニットの外側に位置するように前記アンテナと前記レンズユニットとを配置し、前記第１の面と交差する第２の面から見た場合に前記アンテナが前記電子機器の内部に格納された前記レンズユニットよりも前記電子機器の外面側に位置するように前記アンテナと前記レンズユニットとを配置したことを特徴とする電子機器。
【請求項８】
前記アンテナと前記レンズユニットとの間に、透磁率が所定値よりも高いデバイスを配置したことを特徴とする請求項７に記載の電子機器。
【請求項９】
前記第１の面は前記電子機器の前面に相当し、前記第２の面は前記電子機器の底面に相当することを特徴とする請求項７又は８のいずれか１項に記載の電子機器。
【請求項１０】
前記アンテナを介して無線通信を行う通信手段をさらに有することを特徴とする請求項７から９のいずれか１項に記載の電子機器。
【請求項１１】
前記アンテナを所定の共振周波数で共振させるための共振回路をさらに有することを特徴とする請求項７から１０のいずれか１項に記載の電子機器。
【請求項１２】
前記電子機器は、撮像装置であることを特徴とする請求項７から１１のいずれか１項に記載の電子機器。
【発明の詳細な説明】
【技術分野】
【０００１】
本発明は、給電装置から無線で供給される電力を受け取ることができる電子機器に関する。
【背景技術】
【０００２】
近年、コネクタで接続することなく無線によって電力を送電するための一次コイルを持つ給電装置と、給電装置から供給される電力を無線で受電するための二次コイルを持つ電子機器とを含む給電システムが知られている。
【０００３】
このような給電システムにおいて、電子機器に供給する電力の低下を防ぐために、一次コイルの位置と二次コイルの位置とを一致させるように制御する給電装置が知られている（特許文献１）。
【先行技術文献】
【特許文献】
【０００４】
【特許文献１】特開２００８−２９５２７３号公報
【発明の概要】
【発明が解決しようとする課題】
【０００５】
従来、一次コイルの位置と二次コイルの位置とが一致するように制御された場合であっても、電子機器が給電装置から受電することができる電力は、電子機器の筺体内における二次コイルの位置によって影響を受ける場合がある。
【０００６】
給電装置から電子機器に効率良く給電が行われるために、電子機器の筺体内における二次コイルの位置が、給電装置から電力を受電するために最適な位置になるように考慮する必要があった。
【０００７】
そこで、本発明は、給電装置から無線で供給される電力を受け取るための手段が受電に適した位置に設けられるようにすることを目的とする。
【課題を解決するための手段】
【０００８】
本発明に係る電子機器の一つは、電子機器であって、給電装置から無線で供給される電力を受け取るのに用いられるアンテナと、画像データを表示するのに用いられる表示手段とを有し、前記表示手段が設けられる第１の面から見た場合に前記アンテナが前記表示手段の外側に位置するように前記アンテナと前記表示手段とを配置し、前記第１の面と交差する第２の面から見た場合に前記アンテナが前記表示手段よりも前記電子機器の外面側に位置するように前記アンテナと前記表示手段とを配置したことを特徴とする。
【０００９】
本発明に係る電子機器の一つは、電子機器であって、給電装置から無線で供給される電力を受け取るのに用いられるアンテナと、撮像を行うのに用いられるレンズユニットとを有し、前記レンズユニットが設けられる第１の面から見た場合に前記アンテナが前記レンズユニットの外側に位置するように前記アンテナと前記レンズユニットとを配置し、前記第１の面と交差する第２の面から見た場合に前記アンテナが前記電子機器の内部に格納された前記レンズユニットよりも前記電子機器の外面側に位置するように前記アンテナと前記レンズユニットとを配置したことを特徴とする。
【発明の効果】
【００１１】
本発明によれば、給電装置から無線で供給される電力を受け取るための手段が受電に適した位置に設けられるようにすることができる。
【図面の簡単な説明】
【００１２】
【図１】実施例１における給電システムの一例を示す図である。
【図２】実施例１における電子機器１００のブロック図の一例を示す図である。
【図３】実施例１における受電アンテナ１０１の設置の一例を示す図である。
【図４】実施例２における受電アンテナ１０１の設置の一例を示す図である。
【図５】実施例３における受電アンテナ１０１の設置の一例を示す図である。
【発明を実施するための形態】
【００１３】
［実施例１］
以下、本発明の実施例１について、図面を参照して詳細に説明する。実施例１に係る給電システムは、図１に示すように給電装置２００と、電子機器１００とを有する。実施例１における給電システムにおいて、給電装置２００と電子機器１００との距離が所定の範囲内に存在する場合、給電装置２００は、共鳴方式に応じて、電子機器１００に無線給電を行う。また、給電装置２００と電子機器１００との距離が所定の範囲内に存在する場合、電子機器１００は、共鳴方式に応じて、給電装置２００から出力される電力を無線により受け取る。また、給電装置２００と電子機器１００との距離が所定の範囲内に存在しない場合、電子機器１００は、給電装置２００から電力を受け取ることができない。なお、所定の範囲とは、給電装置２００と電子機器１００とが通信を行うことができる範囲であるものとする。
【００１４】
共鳴方式とは、給電装置２００の共振周波数と、電子機器１００の共振周波数とが一致している状態において、給電装置２００が電力を電子機器１００に供給するための方式である。なお、共鳴方式を「共振方式」と言い換えても良いものとする。
【００１５】
電子機器１００は、例えば、デジタルスチルカメラやデジタルビデオ等の撮像装置であるものとする。なお、電子機器１００は、携帯電話やスマートフォン等であってもよく、パーソナルコンピュータであってもよいものとする。
【００１６】
次に、図２を参照して、電子機器１００の構成の一例について説明を行う。電子機器１００は、受電アンテナ１０１、整合回路１０２、整流平滑回路１０３、通信部１０４、ＣＰＵ１０５、ＲＯＭ１０６、ＲＡＭ１０７、電力供給部１０８、充電制御部１０９及び電池１１０を有する。さらに、電子機器１００は、撮像部１１１、記録部１１２、表示部１１３及び操作部１１４を有する。
【００１７】
受電アンテナ１０１は、給電装置２００から供給される電力を受電するために用いられる。さらに、受電アンテナ１０１は、ＮＦＣ（Ｎｅａｒ  Ｆｉｅｌｄ  Ｃｏｍｍｕｎｉｃａｔｉｏｎ）規格に対応する通信を行うために用いられる。電子機器１００は、受電アンテナ１０１を介して、給電装置２００から電力を受電したり、給電装置２００とＮＦＣ規格に対応する通信を行う。また、電子機器１００は、受電アンテナ１０１を介して給電装置２００からＮＦＣ規格に対応するコマンドを受信した場合、給電装置２００から受信したコマンドに対応する応答データを給電装置２００に送信する。また、電子機器１００は、受電アンテナ１０１を介してＮＦＣ規格に対応するコマンドを給電装置２００に送信することもできる。なお、受電アンテナ１０１は、ループ状のアンテナであるものとする。
【００１８】
整合回路１０２は、インピーダンスマッチングを行うための共振回路である。整合回路１０２は、可変コンデンサ、コイル及び抵抗等を有する。整合回路１０２は、給電装置２００の共振周波数と同じ共振周波数ｆで受電アンテナ１０１が共振するように、整合回路１０２を制御する。また、整合回路１０２は、受電アンテナ１０１によって受電される電力を整流平滑回路１０３に供給する。なお、共振周波数ｆは、商用周波数である５０／６０Ｈｚであってもよく、１０〜数十ＭＨｚであってもよく、１３．５６ＭＨｚの周波数であってもよいものとする。なお、ＣＰＵ１０５は、電子機器１００がＮＦＣ規格に対応する通信を行う場合、共振周波数ｆが１３．５６ＭＨｚの周波数になるように整合回路１０２を制御する。
【００１９】
整流平滑回路１０３は、受電アンテナ１０１によって受電された電力からコマンド及びノイズを取り除き、直流電力を生成する。さらに、整流平滑回路１０３は、生成した直流電力を電力供給部１０８に供給する。整流平滑回路１０３は、受電アンテナ１０１によって受電される電力から取り除いたコマンドを通信部１０４に供給する。
【００２０】
通信部１０４は、受信部１０４ａ及び送信部１０４ｂを有する。受信部１０４ａは、整流平滑回路１０３から供給されるコマンドを取得し、ＮＦＣ規格に対応するプロトコルに応じて、取得したコマンドを解析する。さらに、受信部１０４ａは、コマンドの解析結果をＣＰＵ１０５に供給する。送信部１０４ｂは、給電装置２００から電子機器１００にＮＦＣ規格に対応する通信を行うための電力が供給されている場合、ＣＰＵ１０５からの指示に応じて、コマンドに対する応答データを給電装置２００に送信するための負荷変調を行う。
【００２１】
ＣＰＵ（Ｃｅｎｔｒａｌ  Ｐｒｏｃｅｓｓｉｎｇ  Ｕｎｉｔ）１０５は、受信部１０４ａから供給されたコマンドの解析結果に応じて、電子機器１００を制御する。また、ＣＰＵ１０５は、ＲＯＭ１０６に記憶されているコンピュータプログラムを実行することによって、電子機器１００を制御する。
【００２２】
ＲＯＭ１０６は、電子機器１００を制御するコンピュータプログラムを記憶する。また、ＲＯＭ１０６には、電子機器１００に関する情報等が記録される。ＲＡＭ１０７は、書き換え可能なメモリであり、電子機器１００を制御するコンピュータプログラム、給電装置２００から送信されたデータ等を記録する。
【００２３】
電力供給部１０８は、ＣＰＵ１０５からの指示に応じて、整流平滑回路１０３から供給される電力を変換して電子機器１００に供給する。また、電力供給部１０８は、電池１１０から供給される電力を変換して電子機器１００に供給する。なお、電力供給部１０８は、例えば、ＤＣ−ＤＣコンバータやスイッチングレギュレータを含むものとする。
【００２４】
電力供給部１０８は、例えば、少なくとも、整合回路１０２、ＣＰＵ１０５、通信部１０４、ＲＯＭ１０６及びＲＡＭ１０７に電力を供給するものとする。
【００２５】
充電制御部１０９は、電力供給部１０８から供給される電力を用いて、電池１１０の充電を行う。さらに、充電制御部１０９は、電池１１０の残容量を検出し、検出した電池１１０の残容量をＣＰＵ１０５に通知することもできる。電池１１０は、電子機器１００に着脱可能な電池である。また、電池１１０は、充電可能な二次電池であり、例えば、リチウムイオン電池等である。また、電池１１０は、リチウムイオン電池以外のものであっても良いものとする。
【００２６】
撮像部１１１は、被写体の光学像から映像データを生成するための撮像素子、撮像素子で生成された映像データに対して画像処理を行う画像処理回路及び映像データを圧縮したり、圧縮された映像データを伸長したりするための圧縮伸長回路等を有する。さらに、撮像部１１１は、レンズユニット１１１ａ、レンズカバー１１１ｂ及び駆動部１１１ｃを有する。
【００２７】
撮像部１１１は、被写体の撮影を行い、撮影の結果により得られた静止画像や動画像等の映像データを記録部１１２及び表示部１１３に供給する。
【００２８】
レンズユニット１１１ａは、被写体から得られる光学像を撮像素子に導くために用いられる。レンズカバー１１１ｂは、レンズユニット１１１ａを保護するために用いられる。電子機器１００によって撮影が行われない場合、レンズカバー１１１ｂによってレンズユニット１１１ａは覆われる。電子機器１００によって撮影が行われる場合、レンズカバー１１１ｂによってレンズユニット１１１ａは覆われない。
【００２９】
駆動部１１１ｃは、レンズユニット１１１ａ及びレンズカバー１１１ｂを制御する。例えば、ＣＰＵ１０５は、電子機器１００の電源がオンである場合、レンズカバー１１１ｂによって、レンズユニット１１１ａが覆われないように駆動部１１１ｃを制御する。ＣＰＵ１０５は、電子機器１００の電源がオフである場合、レンズカバー１１１ｂによってレンズユニット１１１ａが覆われるように駆動部１１１ｃを制御する。
【００３０】
また、例えば、ＣＰＵ１０５は、給電装置２００から受け取った電力が所定の電力以上であることが検出された場合、電子機器１００が給電装置２００から給電されていると判定する。この場合、ＣＰＵ１０５は、レンズカバー１１１ｂによって、レンズユニット１１１ａが覆われるように駆動部１１１ｃを制御する。また、ＣＰＵ１０５は、給電装置２００から受け取った電力が所定の電力以上でないことが検出された場合、電子機器１００が給電装置２００から給電されていないと判定する。この場合、ＣＰＵ１０５は、操作部１１４によって撮影の停止が指示されるまで、レンズカバー１１１ｂによってレンズユニット１１１ａが覆われないように駆動部１１１ｃを制御する。
【００３１】
記録部１１２は、撮像部１１１から供給された映像データを記録媒体１１２ａに記録する。また、記録部１１２は、映像データを記録媒体１１２ａから読み出し、表示部１１３に供給することもできる。記録媒体１１２ａは、ハードディスクやメモリカード等であってもよい。また、記録媒体１１２ａは、電子機器１００に内蔵されていてもよく、電子機器１００に着脱可能な外部の記録媒体であってもよい。
【００３２】
表示部１１３は、ディスプレイ１１３ａ、ディスプレイカバー１１３ｂ及び駆動部１１３ｃを有する。表示部１１３は、撮像部１１１から供給される映像データをディスプレイ１１３ａに表示させる。また、表示部１１３は、記録部１１２から供給される映像データをディスプレイ１１３ａに表示させる。ディスプレイ１１３ａは、例えば、液晶ディスプレイ等である。ディスプレイカバー１１３ｂは、ディスプレイ１１３ａを保護するために用いられる。ディスプレイカバー１１３ｂは、可動式のカバーである。ディスプレイカバー１１３ｂは、駆動部１１３ｃによって、ディスプレイ１１３ａを覆うように制御されたり、ディスプレイ１１３ａを覆わないように制御される。
【００３３】
駆動部１１３ｃは、ディスプレイカバー１１３ｂを制御する。例えば、ＣＰＵ１０５は、電子機器１００の電源がオンである場合、ディスプレイカバー１１３ｂによって、ディスプレイ１１３ａが覆われないように駆動部１１３ｃを制御する。ＣＰＵ１０５は、電子機器１００の電源がオフである場合、ディスプレイカバー１１３ｂによって、ディスプレイ１１３ａが覆われるように駆動部１１３ｃを制御する。
【００３４】
また、ＣＰＵ１０５は、給電装置２００から受け取った電力が所定の電力以上であることが検出された場合、ディスプレイカバー１１３ｂによって、ディスプレイ１１３ａが覆われるように駆動部１１３ｃを制御する。ＣＰＵ１０５は、給電装置２００から受け取った電力が所定の電力以上でないことが検出された場合、操作部１１４によって表示の停止が指示されるまで、ディスプレイカバー１１３ｂによって、ディスプレイ１１３ａが覆われないように駆動部１１３ｃを制御する。
【００３５】
操作部１１４は、電子機器１００を操作するためのユーザインターフェースを提供する。ＣＰＵ１０５は、操作部１１４を介して入力されたユーザの指示に従って電子機器１００を制御する。なお、操作部１１４には、電源ボタン、撮影ボタンやメニューボタン等が含まれる。
【００３６】
また、実施例１において、給電装置２００は、電子機器１００に対して無線で電力を出力し、電子機器１００は、給電装置２００から無線で電力を受電するものとした。しかし、「無線」を「非接触」や「無接点」と言い換えてもよいものとする。
【００３７】
実施例１において、受電アンテナ１０１は、ディスプレイ１１３ａの近傍に設置されるものとする。次に、図３に電子機器１００の筺体の背面に受電アンテナ１０１を設置した構成を示す。図３の（ａ）は、受電アンテナ１０１が設置された電子機器１００の筺体の背面を正面から示した図であり、図３の（ｂ）は、受電アンテナ１０１が設置された電子機器１００の筺体の背面を底面から示した図である。図３において、受電アンテナ１０１は、ディスプレイ１１３ａが設置されている電子機器１００の筺体の面に設置される。
【００３８】
ディスプレイ１１３ａは、受電アンテナ１０１による電力の受電を妨げてしまう場合がある。このため、ディスプレイ１１３ａは、電子機器１００の受電効率を低下させるように受電アンテナ１０１に影響を与える場合がある。なお、電子機器１００の受電効率とは、給電装置２００が出力した電力と、受電アンテナ１０１が給電装置２００から受け取る電力との比率を示す。電子機器１００の受電効率が高いほど、電力を伝送する際の損失が少なく、給電装置２００から電子機器１００に効率よく電力が供給されていることを示す。この場合、ディスプレイ１１３ａによって電子機器１００の受電効率が低下しないように受電アンテナ１０１を電子機器１００に設ける必要がある。
【００３９】
さらに、ディスプレイ１１３ａは、通信部１０４によるＮＦＣ規格に対応する通信を妨げてしまう場合がある。この場合、ディスプレイ１１３ａによってＮＦＣ規格に対応する通信が妨げられないように受電アンテナ１０１を電子機器１００に設ける必要がある。
【００４０】
この場合、図３の（ｂ）に示すように、電子機器１００の筺体内における受電アンテナ１０１の位置は、ディスプレイ１１３ａよりも外側になるように設置される。さらに、ディスプレイ１１３ａによって電子機器１００の受電効率が低下しないようにし、かつ、ＮＦＣ規格に対応する通信が妨げられないようにするために、磁性シート３０１が用いられる。
【００４１】
磁性シート３０１は、受電アンテナ１０１とディスプレイ１１３ａとの間に設けられる。なお、磁性シート３０１は、透磁率が所定値よりも高いデバイスである。例えば、所定値は、５０以上の値である。
【００４２】
ディスプレイ１１３ａは、電子機器１００の受電効率を低下させないようにし、ＮＦＣ規格に対応する通信が妨げられないようにするために、磁性シート３０１によって覆われる。さらに、磁性シート３０１は、図３の（ｂ）に示すように、ディスプレイカバー１１３ｂとディスプレイ１１３ａとの間に設置されるようにする。
【００４３】
電子機器１００の筺体内におけるディスプレイ１１３ａの位置は、受電アンテナ１０１の巻線の内側になるように配置される。さらに、電子機器１００の筺体内におけるディスプレイ１１３ａの位置は、受電アンテナ１０１よりも電子機器１００の筺体の内側になるように配置される。このことによって、給電装置２００と受電アンテナ１０１との間の電磁界結合を阻害しないようにすることができる。
【００４４】
なお、３０２は、三脚と電子機器１００とを接続するための接続部である。
【００４５】
なお、受電アンテナ１０１がディスプレイ１１３ａの近傍に設置される場合、ディスプレイカバー１１３ｂが、透磁率が高いデバイスを含むようにしてもよい。また、この場合、ディスプレイカバー１１３ｂに透磁率が高いデバイスが設置されていてもよいものとする。なお、実施例１において、レンズユニット１１１ａが設置される面を前面と呼び、ディスプレイ１１３ａが設置される面を背面と呼び、接続部３０２が設置される面を底面と呼ぶものとする。
【００４６】
このように、実施例１に係る電子機器１００に含まれる受電アンテナ１０１が、電子機器１００の筺体内において、ディスプレイ１１３ａよりも電子機器１００の筺体の外側になるように設けられるようにした。さらに、電子機器１００の筺体内において、受電アンテナ１０１とディスプレイ１１３ａとの間に、磁性シート３０１が設けられるようにした。さらに、電子機器１００の筺体内において、受電アンテナ１０１の巻線の内側にディスプレイ１１３ａが設けられるようにした。
【００４７】
これによって、電子機器１００は、受電アンテナ１０１が、電子機器１００の受電効率が低下することを防ぎ、かつ、ＮＦＣ規格に対応する通信が妨げられない位置に配置されるようにすることができる。
【００４８】
［実施例２］
実施例２において、実施例１と共通する部分については、その説明を省略し、実施例１と異なる部分について説明する。
【００４９】
実施例２において、受電アンテナ１０１は、レンズユニット１１１ａの近傍に設置されるものとする。次に、図４に電子機器１００の筺体の前面に受電アンテナ１０１を設置した構成を示す。図４の（ａ）は、受電アンテナ１０１が配置された電子機器１００の筺体の前面を正面から示した図であり、図４の（ｂ）は、受電アンテナ１０１が配置された電子機器１００の筺体の前面を底面から示した図である。図４において、受電アンテナ１０１は、レンズユニット１１１ａが設置されている電子機器１００の筺体の面に設置される。
【００５０】
レンズユニット１１１ａは、受電アンテナ１０１による電力の受電を妨げてしまう場合がある。さらに、レンズユニット１１１ａは、通信部１０４によるＮＦＣ規格に対応する通信を妨げてしまう場合がある。この場合、レンズユニット１１１ａによって、電子機器１００の受電効率が低下しないようにし、かつ、ＮＦＣ規格に対応する通信が妨げられないように受電アンテナ１０１を電子機器１００に設ける必要がある。
【００５１】
この場合、図４の（ｂ）に示すように、電子機器１００の筺体内における受電アンテナ１０１の位置は、レンズユニット１１１ａよりも外側になるように配置される。レンズユニット１１１ａによって電子機器１００の受電効率が低下しないようにし、かつ、ＮＦＣ規格に対応する通信が妨げられないようにするために、磁性シート４０１が受電アンテナ１０１とレンズユニット１１１ａとの間に設置される。なお、磁性シート４０１は、透磁率が所定値よりも高いデバイスである。例えば、所定値は、５０以上の値である。
【００５２】
レンズユニット１１１ａは、電子機器１００の受電効率を低下させないようにし、ＮＦＣ規格に対応する通信が妨げられないようにするために、磁性シート４０１によって、覆われる。さらに、磁性シート４０１は、図４の（ｂ）に示すように、レンズカバー１１１ｂとレンズユニット１１１ａとの間に設置されるようにする。
【００５３】
電子機器１００の筺体内におけるレンズユニット１１１ａの位置は、受電アンテナ１０１の巻線の内側になるように配置される。さらに、電子機器１００の筺体内におけるレンズユニット１１１ａの位置は、受電アンテナ１０１よりも電子機器１００の筺体の内側になるように設置される。このことによって、給電装置２００と受電アンテナ１０１との間の電磁界結合を阻害しないようにすることができる。
【００５４】
なお、受電アンテナ１０１がレンズユニット１１１ａの近傍に設置される場合、レンズカバー１１１ｂが、透磁率が高いデバイスを含むようにしてもよい。また、この場合、レンズカバー１１１ｂに透磁率が高いデバイスが設置されていてもよいものとする。
【００５５】
このように、実施例２に係る電子機器１００に含まれる受電アンテナ１０１が、電子機器１００の筺体内において、レンズユニット１１１ａよりも電子機器１００の筺体の外側になるように設けられるようにした。さらに、電子機器１００の筺体内において、受電アンテナ１０１とレンズユニット１１１ａとの間に、磁性シート４０１が設けられるようにした。さらに、電子機器１００の筺体内において、受電アンテナ１０１の巻線の内側にレンズユニット１１１ａが設けられるようにした。
【００５６】
これによって、電子機器１００は、受電アンテナ１０１が、電子機器１００の受電効率が低下することを防ぎ、かつ、ＮＦＣ規格に対応する通信が妨げられない位置に設置されるようにすることができる。
【００５７】
［実施例３］
実施例３において、実施例１や実施例２と共通する部分については、その説明を省略し、実施例１や実施例２と異なる部分について説明する。
【００５８】
実施例３において、受電アンテナ１０１は、接続部３０２の近傍に設置されるものとする。次に、図５に電子機器１００の筺体の底面に受電アンテナ１０１を設置した構成を示す。図５の（ａ）は、受電アンテナ１０１が設置された電子機器１００の筺体の底面を正面から示した図であり、図５の（ｂ）は、受電アンテナ１０１が設置された電子機器１００の筺体の底面を前面から示した図である。図５において、受電アンテナ１０１は、接続部３０２が設置されている電子機器１００の筺体の面に設置される。
【００５９】
接続部３０２は、受電アンテナ１０１による電力の受電を妨げてしまう場合がある。さらに、接続部３０２は、通信部１０４によるＮＦＣ規格に対応する通信を妨げてしまう場合がある。この場合、接続部３０２によって、電子機器１００の受電効率が低下しないようにし、かつ、ＮＦＣ規格に対応する通信が妨げられないように受電アンテナ１０１を電子機器１００に設ける必要がある。
【００６０】
この場合、図５の（ｂ）に示すように、電子機器１００の筺体内における受電アンテナ１０１の位置は、接続部３０２よりも外側になるように設置される。接続部３０２によって電子機器１００の受電効率が低下しないようにし、かつ、ＮＦＣ規格に対応する通信が妨げられないようにするために、磁性シート５０１が受電アンテナ１０１と接続部３０２との間に設置される。なお、磁性シート５０１は、透磁率が所定値よりも高いデバイスである。例えば、所定値は、５０以上の値である。
【００６１】
接続部３０２は、電子機器１００の受電効率を低下させないようにし、ＮＦＣ規格に対応する通信が妨げられないようにするために、磁性シート５０１によって、覆われる。さらに、磁性シート５０１は、図５の（ｂ）に示すように、カバー５０２と接続部３０２との間に配置されるようにする。カバー５０２は、接続部３０２を保護するために用いられる。
【００６２】
なお、カバー５０２は、ＣＰＵ１０５によって制御されるものとする。例えば、ＣＰＵ１０５は、電子機器１００の電源がオンである場合、カバー５０２によって、接続部３０２が覆われないようにする。ＣＰＵ１０５は、電子機器１００の電源がオフである場合、カバー５０２によって、接続部３０２が覆われるようにする。
【００６３】
また、ＣＰＵ１０５は、給電装置２００から受け取った電力が所定の電力以上であることが検出された場合、カバー５０２によって、接続部３０２が覆われるようにする。また、ＣＰＵ１０５は、給電装置２００から受け取った電力が所定の電力以上でないことが検出された場合、カバー５０２によって、接続部３０２が覆われないようにする。
【００６４】
電子機器１００の筺体内における接続部３０２の位置は、受電アンテナ１０１の巻線の内側になるように配置される。さらに、電子機器１００の筺体内における接続部３０２の位置は、受電アンテナ１０１よりも電子機器１００の筺体の内側になるように配置される。このことによって、給電装置２００と受電アンテナ１０１との間の電磁界結合を阻害しないようにすることができる。
【００６５】
なお、受電アンテナ１０１が接続部３０２の近傍に設置される場合、カバー５０２が、透磁率が高いデバイスを含むようにしてもよい。また、この場合、カバー５０２に透磁率が高いデバイスが設置されていてもよいものとする。
【００６６】
このように、実施例３に係る電子機器１００に含まれる受電アンテナ１０１が、電子機器１００の筺体内において、接続部３０２よりも電子機器１００の筺体の外側になるように設けられるようにした。さらに、電子機器１００の筺体内において、受電アンテナ１０１と接続部３０２との間に、磁性シート５０１が設けられるようにした。さらに、電子機器１００の筺体内において、受電アンテナ１０１の巻線の内側に接続部３０２が設けられるようにした。
【００６７】
これによって、電子機器１００は、受電アンテナ１０１が、電子機器１００の受電効率が低下することを防ぎ、かつ、ＮＦＣ規格に対応する通信が妨げられない位置に設置されるようにすることができる。
【００６８】
実施例１、２及び３において、接続部３０２は、三脚と電子機器１００とを接続するようにしたが、三脚以外のデバイスを接続するようにしてもよい。例えば、接続部３０２は、撮影に関する所定のデバイスと電子機器１００とを接続するものであってもよい。例えば、撮影に関する所定のデバイスとは、電池を含むグリップ等である。
【００６９】
実施例１、２及び３において、電子機器１００は、受電アンテナ１０１を介して、ＮＦＣ規格に対応する無線通信を行うものとして説明を行った。しかし、これに限られないものとする。例えば、電子機器１００は、受電アンテナ１０１を介して、ＲＦＩＤ（Ｒａｄｉｏ  Ｆｒｅｑｕｅｎｃｙ  ＩＤｅｎｔｉｆｉｃａｔｉｏｎ）等のＩＳＯ／ＩＥＣ  １８０９２規格に対応する無線通信を行っても良いものとする。また、例えば、電子機器１００は、受電アンテナ１０１を介して、ＭＩＦＡＲＥ（登録商標）の規格に対応する無線通信を行っても良いものとする。また、例えば、電子機器１００は、受電アンテナ１０１を介して、Ｆｅｌｉｃａ（登録商標）の規格に対応する無線通信を行っても良いものとする。また、例えば、電子機器１００は、受電アンテナ１０１を介して、Ｔｒａｎｓｆｅｒ  Ｊｅｔ（登録商標）の規格に対応する無線通信を行っても良いものとする。
【００７０】
電子機器１００が受電アンテナ１０１を介して、ＮＦＣ規格以外の無線通信を行う場合、ＣＰＵ１０５は、電子機器１００の共振周波数ｆが、ＮＦＣ規格以外の規格に対応する周波数となるように整合回路１０２を制御するものとする。例えば、電子機器１００が受電アンテナ１０１を介して、Ｔｒａｎｓｆｅｒ  Ｊｅｔ規格に対応する無線通信を行う場合、ＣＰＵ１０５は、電子機器１００の共振周波数ｆが、Ｔｒａｎｓｆｅｒ  Ｊｅｔ規格に対応する周波数となるように整合回路１０２を制御する。
【００７１】
実施例１、２及び３に係る電子機器１００の筺体において、ディスプレイ１１３ａが設置されている面を電子機器１００の筺体の背面とした。しかし、これに限られないものとする。また、実施例１、２及び３に係る電子機器１００の筺体において、レンズユニット１１１ａが設置されている面を電子機器１００の筺体の前面とした。しかし、これに限られないものとする。また、実施例１、２及び３に係る電子機器１００の筺体において、接続部３０２が設置されている面を電子機器１００の筺体の底面とした。しかし、これに限られないものとする。
【００７２】
（他の実施例）
本発明に係る電子機器１００は、実施例１、２及び３で説明した電子機器１００に限定されるものではない。例えば、本発明に係る電子機器１００は、複数の装置から構成されるシステムにより実現することも可能である。
【符号の説明】
【００７３】
１００  電子機器
２００  給電装置
【図１】
0005955006.tif 000002
【図２】
0005955006.tif 000003
【図３】
0005955006.tif 000004
【図４】
0005955006.tif 000005
【図５】
0005955006.tif 000006